(57)【要約】【課題】ハード面での汎用性とソフト面での専用性とを向上させたリモートコントローラにより制御可能な制御対象機器を提供することを課題とする。【解決手段】空気調和機３０は、通信ネットワーク６０に常時接続され、通信ネットワーク６０に接続可能な携帯電話５１からの制御を受ける空気調和機３０であって、空気調和機本体部３１と、記憶部３２と、通信部３３とを備えている。記憶部３２は、空気調和機本体部３１の制御用プログラム３５を記憶する。通信部３３は、通信ネットワーク６０を介して制御用プログラム３５を携帯電話５１にダウンロードさせる。【選択図】        図１
2004289505.tif 000002
【特許請求の範囲】
【請求項１】
通信ネットワーク（６０）に常時接続され、前記通信ネットワーク（６０）に接続可能なリモート端末（５１，５２，５３）からの制御を受ける制御対象機器（３０，４０）であって、
制御対象機器本体部（３１，４１）と、
前記制御対象機器本体部（３１，４１）の制御用プログラム（３５，４５）を記憶する記憶部（３２，４２）と、
前記通信ネットワーク（６０）を介して前記制御用プログラム（３５，４５）を前記リモート端末（５１，５２，５３）にダウンロードさせる通信部（３３，４３）と、
を備える制御対象機器（３０，４０）。
【請求項２】
前記リモート端末（５１，５２，５３）からの前記制御は、前記通信ネットワーク（６０）を介して行われる、
請求項１に記載の制御対象機器（３０，４０）。
【請求項３】
前記制御用プログラム（３５，４５）は、前記リモート端末（５１，５２，５３）の機種に依存せず実行可能な言語で記述されている、
請求項１または２に記載の制御対象機器（３０，４０）。
【請求項４】
通信ネットワーク（６０）に接続可能なリモート端末（５１，５２，５３）と、
制御対象機器本体部（３１，４１）と、前記制御対象機器本体部（３１，４１）の制御用プログラム（３５，４５）を記憶する記憶部（３２，４２）と、前記通信ネットワーク（６０）に常時接続され、前記通信ネットワーク（６０）を介して前記制御用プログラム（３５，４５）を前記リモート端末（５１，５２，５３）にダウンロードさせる通信部（３３，４３）とを有する制御対象機器（３０，４０）と、
を備える機器制御システム（１）。
【請求項５】
１台以上の前記制御対象機器（３０，４０）をさらに備え、
前記リモート端末（５１，５２，５３）は、複数の前記制御対象機器（３０，４０）それぞれの前記制御用プログラム（３５，４５）を実行可能である、
請求項４に記載の機器制御システム（１）。
【請求項６】
前記複数の前記制御対象機器（３０，４０）は、機能の異なる機器を含んでいる、
請求項５に記載の機器制御システム（１）。
【請求項７】
通信ネットワーク（６０）に常時接続され、前記通信ネットワーク（６０）に接続可能なリモート端末（５１，５２，５３）からの制御を受ける制御対象機器（３０，４０）の機器制御方法であって、
前記リモート端末（５１，５２，５３）が前記通信ネットワーク（６０）を介して前記制御対象機器（３０，４０）から制御用プログラム（３５，４５）の取得を行う取得ステップ（Ｓ２０１）と、
前記取得された前記制御用プログラム（３５，４５）により前記制御対象機器（３０，４０）の制御を実行する制御実行ステップ（Ｓ２０２）と、
を備える機器制御方法。
【発明の詳細な説明】
【０００１】
【発明の属する技術分野】
本発明は、制御対象機器、特に、通信ネットワークに常時接続され、通信ネットワークに接続可能なリモート端末からの制御を受ける制御対象機器に関する。また別の本発明は、機器制御システムおよび機器制御方法に関する。
【０００２】
【従来の技術】
空気調和機、空気清浄機あるいはその他の設備機器である制御対象機器をリモートコントロールするリモートコントローラが普及している。かかるリモートコントローラは、制御対象機器を無線あるいは有線で制御する。かかるリモートコントローラにおいては、制御対象機器ごとにハードおよびソフト両面において専用のリモートコントローラを有していることが一般的である。
【０００３】
一方、制御対象機器ごとに専用のリモートコントローラを有し管理しておくことは煩雑であるため、複数のリモートコントローラの機能をまとめることのできる汎用性のあるリモートコントローラも製造・販売されている。しかし、このような汎用性のあるリモートコントローラは、ソフト面において、それぞれの制御対象機器に専用の物では無いため使いにくいことが多い。
【０００４】
これに対し、特許文献１では、給湯器を複数のリモートコントローラで制御する際に、それぞれのリモートコントローラが必要とする機能を含んだ制御用プログラムを給湯器から無線通信により取得するという技術について開示されている。この技術によれば、複数のリモートコントローラをそれぞれの運用状況に応じてカスタマイズして使用することができる。このため、ソフト面においては、専用性のあるリモートコントローラを実現しているといえる。
【０００５】
【特許文献１】
特開平７−２４０９７４号公報
【０００６】
【発明が解決しようとする課題】
一方、ハード面において汎用性のあるリモートコントローラにより制御対象機器を制御することが可能であれば、リモートコントローラの管理等においてさらに簡便と成り得る。例えば、制御対象機器のリモートコントロール専用のリモートコントローラを用いずに制御対象機器の制御が行えれば、リモートコントローラを管理する煩雑さをさらに押さえることが可能となる。
【０００７】
そこで本発明では、ハード面での汎用性とソフト面での専用性とを向上させたリモートコントローラにより制御可能な制御対象機器を提供することを課題とする。
【０００８】
【課題を解決するための手段】
請求項１に記載の制御対象機器は、通信ネットワークに常時接続され、通信ネットワークに接続可能なリモート端末からの制御を受ける制御対象機器であって、制御対象機器本体部と、記憶部と、通信部とを備えている。記憶部は、制御対象機器本体部の制御用プログラムを記憶する。通信部は、通信ネットワークを介して制御用プログラムをリモート端末にダウンロードさせる。
【０００９】
ここで、制御対象機器とは、空気調和機、空気清浄機あるいはその他の設備機器などである。制御対象機器本体部とは、例えば、制御対象機器の本質的な機能を発揮する部分などである。リモート端末とは、制御対象機器とは別体として存在する端末であって、例えば、携帯電話、ＰＤＡ（Ｐｅｒｓｏｎａｌ  Ｄｉｇｉｔａｌ  Ａｓｓｉｓｔａｎｔ）、モバイルコンピュータあるいはデスクトップコンピュータなどである。
【００１０】
制御対象機器は、通信ネットワークに常時接続されており、通信ネットワークを介して様々な要求を受けることができる。リモート端末は、通信ネットワークに接続可能であり、通信ネットワークを介して、制御対象機器の有する制御用プログラムをダウンロードすることができる。リモート端末は、ダウンロードした制御用プログラムを用いて制御対象機器を制御することができる。
【００１１】
本発明の制御対象機器では、通信ネットワークに接続可能なリモート端末によりダウンロードされた制御用プログラムを用いて制御を行うことが可能となる。リモート端末は、通信ネットワークに接続可能であれば、ハード面において制御対象機器に依存した構成を有さなくても良い。また、リモート端末は、ソフト面においては、専用のリモートコントローラとしての機能を果たすことが可能となる。
【００１２】
請求項２に記載の制御対象機器は、請求項１に記載の制御対象機器であって、リモート端末からの制御は、通信ネットワークを介して行われる。
リモート端末は、ダウンロードした制御用プログラムを実行し、通信ネットワークを介して制御対象機器の制御を行う。
本発明の制御対象機器では、リモート端末は、制御対象機器を無線などを用いて直接制御を行う場合に比して、より制御対象機器に依存しないハード構成を有することが可能である。
【００１３】
請求項３に記載の制御対象機器は、請求項１または２に記載の制御対象機器であって、制御用プログラムは、リモート端末の機種に依存せず実行可能な言語で記述されている。
ここで、リモート端末の機種に依存せず実行可能な言語とは、例えば、ＷＷＷ拡張言語などである。
【００１４】
本発明の制御対象機器では、制御用プログラムは、リモート端末の機種に依存せず実行可能な言語で記述されている。これにより、リモート端末のハード面での汎用性は、さらに向上される。
請求項４に記載の機器制御システムは、リモート端末と、制御対象機器とを備えている。リモート端末は、通信ネットワークに接続可能である。制御対象機器は、制御対象機器本体部と、記憶部と、通信部とを有している。記憶部は、制御対象機器本体部の制御用プログラムを記憶する。通信部は、通信ネットワークに常時接続され、通信ネットワークを介して制御用プログラムをリモート端末にダウンロードさせる。
【００１５】
ここで、リモート端末とは、制御対象機器とは別体として存在する端末であって、例えば、携帯電話、ＰＤＡ（Ｐｅｒｓｏｎａｌ  Ｄｉｇｉｔａｌ  Ａｓｓｉｓｔａｎｔ）、モバイルコンピュータあるいはデスクトップコンピュータなどである。制御対象機器とは、空気調和機、空気清浄機あるいはその他の設備機器などである。制御対象機器本体部とは、例えば、制御対象機器の本質的な機能を発揮する部分などである。
【００１６】
制御対象機器は、通信ネットワークに常時接続されており、通信ネットワークを介して様々な要求を受けることができる。リモート端末は、通信ネットワークに接続可能であり、通信ネットワークを介して、制御対象機器の有する制御用プログラムをダウンロードすることができる。リモート端末は、ダウンロードした制御用プログラムを用いて制御対象機器を制御することができる。
【００１７】
本発明の機器制御システムでは、通信ネットワークに接続可能なリモート端末によりダウンロードされた制御用プログラムにより制御対象機器の制御を行うことが可能となる。リモート端末は、通信ネットワークに接続可能であれば、ハード面において制御対象機器に依存した構成を有さなくても良い。また、リモート端末は、ソフト面においては、制御対象機器の専用のリモートコントローラとしての機能を果たすことが可能となる。
【００１８】
請求項５に記載の機器制御システムは、請求項４に記載の機器制御システムであって、１台以上の制御対象機器をさらに備えている。リモート端末は、複数の制御対象機器それぞれの制御用プログラムを実行可能である。
リモート端末は、機器制御システムが備える複数の制御対象機器のうち、制御の対象となる制御対象機器から制御用プログラムをダウンロードする。リモート端末では、ダウンロードした制御用プログラムを用いて制御対象機器の制御を行う。
【００１９】
本発明の機器制御システムでは、リモート端末は、複数の制御対象機器のリモートコントローラとしての機能を果たすことが可能となる。このため、リモート端末をさらに汎用的に使用することが可能となる。
請求項６に記載の機器制御システムは、請求項５に記載の機器制御システムであって、複数の制御対象機器は、機能の異なる機器を含んでいる。
【００２０】
ここで、複数の制御対象機器とは、例えば、空気調和機、空気清浄機あるいはその他の設備機器など機能の異なる機器である。
本発明の機器制御システムでは、リモート端末は、制御内容の異なる制御対象機器のリモートコントローラとしての機能を果たすことが可能となる。
請求項７に記載の機器制御方法は、通信ネットワークに常時接続され、通信ネットワークに接続可能なリモート端末からの制御を受ける制御対象機器の機器制御方法であって、取得ステップと、制御実行ステップとを備えている。取得ステップでは、リモート端末が通信ネットワークを介して制御対象機器から制御用プログラムの取得を行う。制御実行ステップでは、取得された制御用プログラムにより制御対象機器の制御を実行する。
【００２１】
ここで、制御対象機器とは、空気調和機、空気清浄機あるいはその他の設備機器などである。リモート端末とは、制御対象機器とは別体として存在する端末であって、例えば、携帯電話、ＰＤＡ（Ｐｅｒｓｏｎａｌ  Ｄｉｇｉｔａｌ  Ａｓｓｉｓｔａｎｔ）、モバイルコンピュータあるいはデスクトップコンピュータなどである。
【００２２】
本発明の機器制御方法では、通信ネットワークに接続可能なリモート端末によりダウンロードされた制御用プログラムを用いて制御を行うことが可能となる。リモート端末は、通信ネットワークに接続可能であれば、ハード面において制御対象機器に依存した構成を有さなくても良い。また、リモート端末は、ソフト面においては、専用のリモートコントローラとしての機能を果たすことが可能となる。
【００２３】
【発明の実施の形態】
〈機器制御システム１の構成〉
図１に、本発明の一実施形態としての機器制御システム１を示す。機器制御システム１は、一般家庭、オフィス、工場、病院などの建造物１０に設置される設備機器群２を運転制御するシステムであって、設備機器群２の利用者が建造物１０内あるいは建造物１０外から、リモートコントローラ５を用いて制御を実行するシステムである。
【００２４】
機器制御システム１は、通信ネットワーク６０に常時接続された設備機器群２と、通信ネットワーク６０に接続可能なリモートコントローラ５とから構成される。
設備機器群２は、空気調和機３０と空気清浄機４０とその他の設備機器などとから構成されている。
【００２５】
空気調和機３０は、空調室内機や空調室外機などの空気調和機能を発揮する部分である空気調和機本体部３１と、記憶部３２と、通信部３３を備えている。より具体的には、記憶部３２や通信部３３は、空調室内機あるいは空調室外機に内蔵あるいは外接して設置されている。記憶部３２は、空気調和機本体部３１を制御する制御用プログラム３５と、利用者の認証用の認証データベース３６とを記憶している。通信部３３は、通信ネットワーク６０に常時接続されており、リモートコントローラ５からの制御用プログラム３５のダウンロード要求を受け付け、制御用プログラム３５を送信する。
【００２６】
空気清浄機４０は、空気清浄機４０において空気清浄機能を発揮する部分である空気清浄機本体部４１と、記憶部４２と、通信部４３とを備えている。記憶部４２は、空気清浄機本体部４１を制御する制御用プログラム４５と、利用者の認証用の認証データベース４６とを記憶している。通信部４３は、通信ネットワーク６０に常時接続されており、リモートコントローラ５からの制御用プログラム４５のダウンロード要求を受け付け、制御用プログラム４５を送信する。
【００２７】
リモートコントローラ５は、携帯電話５１、パーソナルコンピュータ５２あるいはＰＤＡ５３などから構成されている。携帯電話５１は、通信部５５と、記憶部５６とから構成されている。通信部５５は、通信ネットワーク６０を介して設備機器群２との接続を行う。記憶部５６は、ブラウザ５７を有している。ブラウザ５７は、設備機器群２のうち制御の対象となる設備機器の選択やダウンロードした制御用プログラム３５，４５などの実行を行わせる。本実施形態では、特に携帯電話５１について説明する。パーソナルコンピュータ５２およびＰＤＡ５３は、携帯電話５１と同様の構成を有しているため、説明は省略する。
【００２８】
通信ネットワーク６０は、インターネット網などのＩＰ網や通信事業者が提供するキャリア網などから構成される。
〈機器制御システム１の作用〉
図２を用いて、設備機器群２の利用者が携帯電話５１から空気調和機３０を制御する機器制御方法の概要を説明する。
【００２９】
携帯電話５１は、空気調和機３０に通信ネットワーク６０を介して接続し、空気調和機３０の記憶部３２が備える制御用プログラム３５を取得する（ステップＳ２０１）。利用者は、取得した制御用プログラム３５を実行し、空気調和機３０の制御を行う（ステップＳ２０２）。
以下、図３および図４を用いて、それぞれのステップについて詳細に説明する。
【００３０】
［ステップＳ２０１］
利用者は、携帯電話５１のブラウザ５７から、制御対象である空気調和機３０に接続を行う。設備機器群２を構成する空気調和機３０などには、あらかじめ固有のアドレスが割り当てられている。利用者は、この固有のアドレスを入力する、あるいはあらかじめ携帯電話５１に記憶しておいたこの固有のアドレスを選択することにより空気調和機３０に接続する。
【００３１】
図３は、空気調和機３０の通信部３３が携帯電話５１のブラウザ５７に表示させる利用者認証画面３０１である。利用者は、利用者認証画面３０１において、利用者ＩＤ３０２とパスワード３０３とを入力し、制御用プログラム３５のダウンロード要求を行う。通信部３３は、入力された情報が認証データベース３６に照らして適切であると判断すると、携帯電話５１に制御用プログラム３５を送信する。すなわち、通信部３３は、記憶部３２と協働して、Ｗｅｂサーバとしての役割と、ファイルサーバとしての役割とを果たしている。より具体的には、通信部３３は、記憶部３２と協働して、Ｗｅｂサーバとして利用者認証画面３０１を提供し、ファイルサーバとして制御用プログラム３５を提供している。
【００３２】
［ステップＳ２０２］
利用者は、携帯電話５１にダウンロードされた制御用プログラム３５を実行する。制御用プログラム３５は、ＷＷＷ拡張言語など、リモートコントローラ５の機種に依存せず実行可能な言語により記述されている。具体的には、Ｊａｖａ（登録商標）などにより記述されている。
【００３３】
図４は、制御用プログラム３５の実行画面４０１である。実行画面４０１では、空気調和機３０の運転制御に係る項目が設定可能となっている。例えば、空気調和機３０の運転・停止設定４０２、冷房・暖房などの運転モード設定４０３、温度設定４０４、湿度設定４０５あるいは風量設定４０６などの設定項目が表示されている。また、空気調和機３０の運転状況や空気調和機３０のセンサが取得した情報を通知するように制御命令を送ることも可能である（図４、４０７参照）。
【００３４】
それぞれの設定は、携帯電話５１のボタン操作により可能ととなっており、利用者がそれぞれの設定を行うと、その設定は、通信ネットワーク６０を介して空気調和機３０の通信部３３から空気調和機本体部３１へと送信され、空気調和機本体部３１の制御が実行される。
［その他の設備機器の制御］
携帯電話５１は、空気清浄機４０の制御用プログラム４５について同様にダウンロードすることができる。また、携帯電話５１は、複数の設備機器（例えば、空気調和機３０と空気清浄機４０）を制御する複数の制御用プログラム３５，４５を同時に記憶・蓄積することができ、それぞれについて実行可能である。さらに、不必要となった制御用プログラム３５，４５は、削除することが可能である。
【００３５】
〈機器制御システム１の効果〉
（１）
機器制御システム１では、設備機器群２に対して、リモートコントローラ５を汎用的に用いて制御を実行することが可能となる。さらに、リモートコントローラ５では、それぞれの設備機器を専用的に制御する制御用プログラム３５，４５などの実行が可能となる。このため、設備機器のそれぞれに従来のような専用のリモートコントローラを備える必要が無く、設備機器のそれぞれに専用の機能を制御することが可能となる。また、リモートコントローラの管理の煩雑さを軽減することが可能となる。
【００３６】
（２）
機器制御システム１では、リモートコントローラ５が設備機器群２から制御用プログラム３５，４５などをダウンロードして制御を行う。このため、設備機器群２に新しい設備機器が追加された場合や、設備機器群２の設備機器に新しい機能が追加された場合であっても、それぞれの設備機器が備える最新の制御用プログラムをダウンロードし、制御を実行することが可能となる。
【００３７】
（３）
制御用プログラム３５，４５などは、リモートコントローラ５の機種に依存せず実行可能な言語により記述されている。このため、リモートコントローラ５は、制御用プログラム３５，４５などを実行するための特別のハード・ソフトを備える必要が無くなる。また、異なるリモートコントローラ５からでも、設備機器群２を同じように制御可能となる。
【００３８】
（４）
機器制御システム１では、リモートコントローラ５が備えるブラウザを用いて設備機器群２から制御用プログラム３５，４５などのダウンロードが行われる。ここで、通信ネットワーク６０に接続可能なリモートコントローラ５であれば、ブラウザをあらかじめ備えているものが多い。機器制御システム１は、このブラウザを利用するため、リモートコントローラ５に対する利用者の新たな負担が軽減される。また、機器制御システム１の導入コストも軽減される。
【００３９】
（５）
リモートコントローラ５は、通信ネットワーク６０を介して設備機器群２の制御を実行するため、リモートコントローラ５は、設備機器群２の設置される建造物１０内だけでなく、建造物１０外からも制御可能となる。
〈その他〉
（１）
本発明は上記実施形態に限定されるものではなく、本発明の範囲を逸脱することなく種々の変形又は修正が可能である。
【００４０】
（２）
制御用プログラム３５，４５は、複数の制御用プログラムから構成されていても良い。例えば、リモートコントローラ５の種類（携帯電話、ＰＤＡ、パーソナルコンピュータ）によって実行させる制御用プログラムを異ならせてもよい。これにより、リモートコントローラ５の種類に応じて操作容易なインターフェイスを提供することが可能となる。
【００４１】
この場合、上記ステップＳ２０１（図２参照）において、通信部３３は、利用者認証画面３０１（図３参照）に入力されたＩＤやパスワードが認証データベース３６に照らして適切であると判断した後に、図５に示すプログラム選択画面５０１を表示させることとなる。
また、制御用プログラム３５，４５は、リモートコントローラ５からの制御を赤外線あるいは無線などを用いて直接実行させても良い。
【００４２】
例えば、携帯電話５１と空気調和機３０とが赤外線ポートを有する場合、携帯電話５１は、空気調和機３０が備える赤外線制御用の制御用プログラムをダウンロードして実行する。
これにより、リモートコントローラ５が有するハードを有効に活用して設備機器群２の制御を実行することが可能となる。
【００４３】
さらに、制御用プログラム３５，４５は、タッチパネルを介した入力を前提としたプログラムであっても良い。
この場合、制御用プログラム３５，４５の機能が拡大しても、リモートコントローラ５のタッチパネル以外の入力インターフェイス（ボタン、マウス、キーボードなど）に依存せず一定の操作容易性を維持することが可能となる。
【００４４】
（３）
通信部３３，４３は、Ｗｅｂサーバとしての機能を果たさなくとも良い。例えば、通信部３３，４３は、リモートコントローラ５からの制御用プログラムのダウンロードの要求を受けると、図３や図５に示す入力画面を提供せず、即座に制御用プログラム３５，４５をダウンロードさせるものであっても良い。また、この場合、記憶部３２，４２は、認証データベース３６，４６を備える必要がない。
【００４５】
リモートコントローラ５からの制御用プログラムのダウンロードの要求は、リモートコントローラ５からそれぞれの設備機器への電子メール送信によって行うなど、ダウンロードの方法のみ共通化するものであっても良い。
これらの場合でも、制御のためのプロトコルや制御命令などは制御用プログラム３５，４５に独自のものを使用することは可能である。
【００４６】
【発明の効果】
請求項１に記載の制御対象機器では、通信ネットワークに接続可能なリモート端末によりダウンロードされた制御用プログラムを用いて制御を行うことが可能となる。リモート端末は、通信ネットワークに接続可能であれば、ハード面において制御対象機器に依存した構成を有さなくても良い。また、リモート端末は、ソフト面においては、専用のリモートコントローラとしての機能を果たすことが可能となる。
【００４７】
請求項２に記載の制御対象機器では、リモート端末は、制御対象機器を無線などを用いて直接制御を行う場合に比して、より制御対象機器に依存しないハード構成を有することが可能である。
請求項３に記載の制御対象機器では、制御用プログラムは、リモート端末の機種に依存せず実行可能な言語で記述されている。これにより、リモート端末のハード面での汎用性は、さらに向上される。
【００４８】
請求項４に記載の機器制御システムでは、通信ネットワークに接続可能なリモート端末によりダウンロードされた制御用プログラムにより制御対象機器の制御を行うことが可能となる。リモート端末は、通信ネットワークに接続可能であれば、ハード面において制御対象機器に依存した構成を有さなくても良い。また、リモート端末は、ソフト面においては、制御対象機器の専用のリモートコントローラとしての機能を果たすことが可能となる。
【００４９】
請求項５に記載の機器制御システムでは、リモート端末は、複数の制御対象機器のリモートコントローラとしての機能を果たすことが可能となる。このため、リモート端末をさらに汎用的に使用することが可能となる。
請求項６に記載の機器制御システムでは、リモート端末は、制御内容の異なる制御対象機器のリモートコントローラとしての機能を果たすことが可能となる。
【００５０】
請求項７に記載の機器制御方法では、通信ネットワークに接続可能なリモート端末によりダウンロードされた制御用プログラムを用いて制御を行うことが可能となる。リモート端末は、通信ネットワークに接続可能であれば、ハード面において制御対象機器に依存した構成を有さなくても良い。また、リモート端末は、ソフト面においては、専用のリモートコントローラとしての機能を果たすことが可能となる。
【図面の簡単な説明】
【図１】本発明の一実施形態にかかる機器制御システム１の構成図。
【図２】携帯電話５１から空気調和機３０を制御する機器制御方法の概要を説明するフローチャート。
【図３】携帯電話５１に表示される利用者認証画面３０１。
【図４】携帯電話５１に表示される制御用プログラム３５の実行画面４０１。
【図５】携帯電話５１に表示されるプログラム選択画面５０１。
【符号の説明】
１    機器制御システム
２    設備機器群
５    リモートコントローラ
３０    空気調和機
３１    空気調和機本体部
３２    記憶部
３３    通信部
３５    制御用プログラム
４０    空気清浄機
４１    空気清浄機本体部
４２    記憶部
４３    通信部
４５    制御用プログラム
５１    携帯電話
５２    パーソナルコンピュータ
５３    ＰＤＡ
６０    通信ネットワーク
【図１】
2004289505.tif 000003
【図２】
2004289505.tif 000004
【図３】
2004289505.tif 000005
【図４】
2004289505.tif 000006
【図５】
2004289505.tif 000007